(57)【要約】  本発明は、光ネットワーク要素（１００）、特に受動光ネットワーク（ＰＯＮ）（１０００）のための光ネットワークユニット（ＯＮＵ）（１００）であって、前記光ネットワーク要素（１００）は、前記光ネットワーク要素（１００）が少なくとも１つのさらなる光ネットワーク要素（２００）、特にＰＯＮ（１０００）の光回線終端装置（２００）と光信号を交換することができる一次動作状態（ＳＩ）で動作するように構成され、前記光ネットワーク要素（１００）は、前記光ネットワーク要素（１００）の電力消費量が前記一次動作状態（ＳＩ）に比較して低い少なくとも１つの二次動作状態（Ｓ２、Ｓ３）で動作するように構成されており、前記光ネットワーク要素（１００）は、一次動作状態（ＳＩ）から前記少なくとも１つの二次動作状態（Ｓ２、Ｓ３；Ｓ５，Ｓ６）へ直接遷移するように構成されている、光ネットワーク要素（１００）に関する。
2017507561.tif 000002
【特許請求の範囲】
【請求項１】
光ネットワーク要素（１００）、特に受動光ネットワーク（ＰＯＮ）（１０００）のための光ネットワークユニット（ＯＮＵ）（１００）であって、前記光ネットワーク要素（１００）は、前記光ネットワーク要素（１００）が少なくとも１つのさらなる光ネットワーク要素（２００）、特にＰＯＮ（１０００）の光回線終端装置（２００）と光信号を交換することができる一次動作状態（Ｓ１）で動作するように構成され、前記光ネットワーク要素（１００）は、前記光ネットワーク要素（１００）の電力消費量が前記一次動作状態（Ｓ１）に比較して低い少なくとも１つの二次動作状態（Ｓ２、Ｓ３）で動作するように構成されており、前記光ネットワーク要素（１００）は、一次動作状態（Ｓ１）から前記少なくとも１つの二次動作状態（Ｓ２、Ｓ３；Ｓ５、Ｓ６）へ直接遷移するように構成されている、光ネットワーク要素（１００）。
【請求項２】
前記光ネットワーク要素（１００）は、前記光ネットワーク要素（１００）が光受信機（Ｒｘ）および光送信機（Ｔｘ）を非アクティブ化することができる第１の二次動作状態（Ｓ２；Ｓ５）と、前記光受信機（Ｒｘ）がアクティブ化されるとともに前記光ネットワーク要素（１００）が前記光送信機（Ｔｘ）を非アクティブ化することができる第２の二次動作状態（Ｓ３；Ｓ６）とで動作するように構成されており、前記光ネットワーク要素（１００）は、第１の二次動作状態（Ｓ２；Ｓ５）から第２の二次動作状態（Ｓ３；Ｓ６）へおよび／または逆の場合も同様に一次動作状態（Ｓ１）へ遷移することなく遷移するように構成されている、請求項１に記載の光ネットワーク要素（１００）。
【請求項３】
前記光ネットワーク要素（１００）は第１の三次動作状態（Ｓ４）で動作するように構成されており、前記光ネットワーク要素（１００）は、前記第１の三次動作状態（Ｓ４）を介して第１の二次動作状態（Ｓ２）から第２の二次動作状態（Ｓ３）へおよび／または逆の場合も同様に遷移するように構成されている、請求項２に記載の光ネットワーク要素（１００）。
【請求項４】
前記光ネットワーク要素（１００）は、電力消費量を低減させるために、一次動作状態（Ｓ１）と比較して前記第１の三次動作状態（Ｓ４）内で減じられた機能を提供するように構成されており、特にパケットプロセッサの機能は、前記第１の三次動作状態（Ｓ４）において非アクティブ化されている、請求項３に記載の光ネットワーク要素（１００）。
【請求項５】
前記光ネットワーク要素（１００）は、第１の三次動作状態（Ｓ７）および第２の三次動作状態（Ｓ８）で動作するように構成されており、前記光ネットワーク要素（１００）は、第１の二次動作状態（Ｓ５）から第２の二次動作状態（Ｓ６）へ前記第１の三次動作状態（Ｓ７）を介して遷移するように構成されており、および／または前記光ネットワーク要素（１００）は、第２の二次動作状態（Ｓ６）から第１の二次動作状態（Ｓ５）へ前記第２の三次動作状態（Ｓ８）を介して遷移するように構成されている、請求項２に記載の光ネットワーク要素（１００）。
【請求項６】
前記光ネットワーク要素（１００）は、前記光送信機（Ｔｘ）を前記第１の三次動作状態（Ｓ７）で非アクティブ化するように構成されている、請求項５に記載の光ネットワーク要素（１００）。
【請求項７】
前記光ネットワーク要素（１００）は、さらなる光ネットワーク要素（２００）、特に前記光回線終端装置（２００）から光ネットワーク要素（１００）が前記少なくとも１つの二次動作状態（Ｓ２、Ｓ３；Ｓ５，Ｓ６）へ遷移すべきと指示する命令を受信し、前記命令を受信すると、前記少なくとも１つの二次動作状態（Ｓ２、Ｓ３；Ｓ５，Ｓ６）へ遷移（ｔ１２、ｔ１３；ｔ１５、ｔ１６）するように構成されている、請求項１から６のいずれか一項に記載の光ネットワーク要素（１００）。
【請求項８】
光ネットワーク要素（１００）、特に受動光ネットワーク（ＰＯＮ）（１０００）のための光ネットワークユニット（ＯＮＵ）（１００）を動作させる方法であって、前記光ネットワーク要素（１００）は、前記光ネットワーク要素（１００）が少なくとも１つのさらなる光ネットワーク要素（２００）、特にＰＯＮ（１０００）の光回線終端装置（２００）と光信号を交換することができる一次動作状態（Ｓ１）で動作するように構成されており、前記光ネットワーク要素（１００）は、前記光ネットワーク要素（１００）の電力消費量が前記一次動作状態（Ｓ１）に比較して低い少なくとも１つの二次動作状態（Ｓ２、Ｓ３）で動作するように構成されており、前記光ネットワーク要素（１００）は、一次動作状態（Ｓ１）から前記少なくとも１つの二次動作状態（Ｓ２、Ｓ３；Ｓ５、Ｓ６）へ直接遷移する、方法。
【請求項９】
前記光ネットワーク要素（１００）は、前記光ネットワーク要素（１００）が光受信機（Ｒｘ）および光送信機（Ｔｘ）を非アクティブ化することができる第１の二次動作状態（Ｓ２；Ｓ５）と、前記光受信機（Ｒｘ）がアクティブ化されるとともに前記光ネットワーク要素（１００）が前記光送信機（Ｔｘ）を非アクティブ化することができる第２の二次動作状態（Ｓ３；６３）とで動作するように構成されており、前記光ネットワーク要素（１００）は、第１の二次動作状態（Ｓ２；Ｓ５）から第２の二次動作状態（Ｓ３；６３）へおよび／または逆の場合も同様に一次動作状態（Ｓ１）へ遷移することなく遷移する、請求項８に記載の方法。
【請求項１０】
前記光ネットワーク要素（１００）は、第１の三次動作状態（Ｓ４）で動作するように構成されており、前記光ネットワーク要素（１００）は、第１の二次動作状態（Ｓ２）から第２の二次動作状態（Ｓ３）へおよび／または逆の場合も同様に前記第１の三次動作状態（Ｓ４）を介して遷移する、請求項９に記載の方法。
【請求項１１】
前記光ネットワーク要素（１００）は、第１の三次動作状態（Ｓ７）と第２の三次動作状態（Ｓ８）とで動作するように構成されており、前記光ネットワーク要素（１００）は、第１の二次動作状態（Ｓ５）から第２の二次動作状態（Ｓ６）へ前記第１の三次動作状態（Ｓ４）を介して遷移し、および／または前記光ネットワーク要素（１００）は、第２の二次動作状態（Ｓ６）から第１の二次動作状態（Ｓ５）へ前記第２の三次動作状態（Ｓ８）を介して遷移する、請求項９に記載の方法。
【請求項１２】
前記光ネットワーク要素（１００）は、前記光送信機（Ｔｘ）を前記第１の三次動作状態（Ｓ７）で非アクティブ化する、請求項１１に記載の方法。
【発明の詳細な説明】
【技術分野】
【０００１】
本発明は、光ネットワーク要素に関し、特に、受動光ネットワーク（ＰＯＮ：ｐａｓｓｉｖｅ  ｏｐｔｉｃａｌ  ｎｅｔｗｏｒｋ）のための光ネットワークユニット（ＯＮＵ：ｏｐｔｉｃａｌ  ｎｅｔｗｏｒｋ  ｕｎｉｔ）であって、前記光ネットワーク要素は一次動作状態で動作するように構成されており、前記光ネットワーク要素は少なくとも１つのさらなる光ネットワーク要素、特に、ＰＯＮの光回線終端装置と光信号を交換することができる光ネットワークユニット（ＯＮＵ）に関する。
【背景技術】
【０００２】
本発明は、光ネットワーク要素を動作させる方法にさらに関する。
【発明の概要】
【発明が解決しようとする課題】
【０００３】
本発明の目的は、向上したエネルギー効率および運用柔軟性を有する改良された光ネットワーク要素、および改良された光ネットワーク要素を動作させる方法を提供することである。
【課題を解決するための手段】
【０００４】
上述の光ネットワーク要素について、本目的は、前記光ネットワーク要素の電力消費量が前記一次動作状態に比較して低い少なくとも１つの二次動作状態で動作するように構成されており、一次動作状態から前記少なくとも１つの二次動作状態へ直接遷移するように構成されている、前記光ネットワーク要素によって達成される。これは、有利には、ＯＮＵなどの光ネットワーク要素が一次動作状態から前記二次動作状態へ直接遷移することを可能にし、それによって電力消費量の低減により電気エネルギー節約をもたらす。各実施形態によれば、表現「一次動作状態から前記少なくとも１つの二次動作状態へ直接遷移すること」は、光ネットワーク要素が任意のさらなる中間状態を呈するのではなく、むしろ一次的な状態から二次的な状態へ変わることを示す。これは、即座のエネルギー節約をもたらし、例えば、中間状態に依拠し、したがって多数の異なる状態を必要とし、各実施形態によって与えられるような高度のエネルギー効率をもたらさないＩＴＵ−Ｔ  Ｇ．９８７．３セクション１６（２０１０年１０月）に定義されるようなＯＮＵパワー節約機構などの従来のエネルギー節約手法とは対照的に、光ネットワーク要素の複雑さを減少させる。
【０００５】
ある実施形態によれば、前記光ネットワーク要素は、前記光ネットワーク要素が光受信機および光送信機を非アクティブ化することができる第１の二次動作状態と、前記光受信機がアクティブ化されるとともに前記光ネットワーク要素が前記光送信機を非アクティブ化することができる第２の二次動作状態とで動作するように構成されており、前記光ネットワーク要素は、一次動作状態へ遷移することなく第１の二次動作状態から第２の二次動作状態へおよび／または逆の場合も同様に遷移するように構成されている。光受信機と光送信機との両方を非アクティブ化するとき、第１の二次動作状態において、光ネットワーク要素は、最大の電気エネルギー節約を達成することができる。一次動作状態では、通常送信機と受信機の両方がアクティブ化されるのに対して、第２の二次動作状態では、前記光送信機が非アクティブ化されるので、一次動作状態と比較してやはり低減された電力消費量が与えられる。有利には、本実施形態によれば、第１の二次動作状態と第２の二次動作状態との間の遷移も可能であり、これにより一次動作状態への遷移を避けるのを助け、したがって電気エネルギー消費量の低減および光ネットワーク要素の状態変化に関連した複雑さの減少にも貢献する。
【０００６】
一般に、二次動作状態は、光ネットワーク要素が完全に送受信できる、すなわち、別の光ネットワーク要素とデータを両方向（上流／下流）に交換することができる通常の動作状態と考えられ得る一次動作状態と比較して、これらの動作状態で低い電力消費量を有するので、「パワー節約」または「低パワー」状態としてみなされ得る。
【０００７】
さらなる実施形態によれば、前記光ネットワーク要素は第１の三次動作状態で動作するように構成され、前記光ネットワーク要素は前記第１の三次動作状態を介して第１の二次動作状態から第２の二次動作状態へおよび／または逆の場合も同様に遷移するように構成されている。第１の三次状態は、「チェック状態」としても示すことができる。
【０００８】
さらなる実施形態によれば、前記光ネットワーク要素は、電力消費量を低減するために、一次動作状態と比較して前記第１の三次動作状態内で減じられた機能を提供するように構成されており、特にパケットプロセッサの機能は、前記第１の三次動作状態において非アクティブ化される。したがって、一次動作状態への遷移が必要とされない（一時的でさえない）ので、前記三次動作状態を介して第１の二次動作状態と第２の二次動作状態の間で遷移するとき、やはり低減された電気エネルギー消費量が可能にされる。
【０００９】
さらなる実施形態によれば、前記光ネットワーク要素は、第１の三次動作状態と、第２の三次動作状態とで動作するように構成されており、前記光ネットワーク要素は、前記第１の三次動作状態を介して第１の二次動作状態から第２の二次動作状態へ遷移するように構成され、および／または前記光ネットワーク要素は、前記第２の三次動作状態を介して第２の二次動作状態から第１の二次動作状態へ遷移するように構成されている。すなわち、第１の二次状態と第２の二次状態の間で光ネットワーク要素遷移中に一時的に呈する第１および第２の三次状態は、中間状態とみなされ得る。
【００１０】
さらなる実施形態によれば、前記光ネットワーク要素は、前記光送信機を前記第１の三次動作状態で非アクティブ化するように構成されており、それによって電気エネルギー消費量のさらなる削減が達成され得る。
【００１１】
ある実施形態によれば、前記光ネットワーク要素は、さらなる光ネットワーク要素から、特に前記光回線終端装置から、光ネットワーク要素が前記少なくとも１つの二次動作状態へ遷移するものとすることを指示する命令を受信し、前記命令を受信すると前記少なくとも１つの二次動作状態へ遷移するように構成されている。
【００１２】
本発明の目的のさらなる解決策は、請求項８によって定められるような方法によって与えられる。さらに有利な実施形態は、従属請求項によって与えられる。
【００１３】
本発明のさらなる特徴、態様、および利点は、図面を参照して、以下の詳細な説明において与えられる。
【図面の簡単な説明】
【００１４】
【図１】ある実施形態による光ネットワークの概略図である。
【図２】ある実施形態による状態図の概略図である。
【図３】さらなる実施形態による状態図の概略図である。
【図４ａ】さらなる実施形態による経時的な光ネットワーク要素の電力消費量を示す概略図である。
【図４ｂ】さらなる実施形態による経時的な光ネットワーク要素の電力消費量を示す概略図である。
【図４ｃ】さらなる実施形態による経時的な光ネットワーク要素の電力消費量を示す概略図である。
【図４ｄ】さらなる実施形態による経時的な光ネットワーク要素の電力消費量を示す概略図である。
【図４ｅ】さらなる実施形態による経時的な光ネットワーク要素の電力消費量を示す概略図である。
【図４ｆ】さらなる実施形態による経時的な光ネットワーク要素の電力消費量を示す概略図である。
【図５ａ】さらなる実施形態による経時的な光ネットワーク要素の電力消費量を示す概略図である。
【図５ｂ】さらなる実施形態による経時的な光ネットワーク要素の電力消費量を示す概略図である。
【図５ｃ】さらなる実施形態による経時的な光ネットワーク要素の電力消費量を示す概略図である。
【図５ｄ】さらなる実施形態による経時的な光ネットワーク要素の電力消費量を示す概略図である。
【図５ｅ】さらなる実施形態による経時的な光ネットワーク要素の電力消費量を示す概略図である。
【図６ａ】さらなる実施形態による経時的な光ネットワーク要素の電力消費量を示す概略図である。
【図６ｂ】さらなる実施形態による経時的な光ネットワーク要素の電力消費量を示す概略図である。
【図６ｃ】さらなる実施形態による経時的な光ネットワーク要素の電力消費量を示す概略図である。
【図６ｄ】さらなる実施形態による経時的な光ネットワーク要素の電力消費量を示す概略図である。
【図６ｅ】さらなる実施形態による経時的な光ネットワーク要素の電力消費量を示す概略図である。
【図６ｆ】さらなる実施形態による経時的な光ネットワーク要素の電力消費量を示す概略図である。
【図７ａ】さらなる実施形態による経時的な光ネットワーク要素の電力消費量を示す概略図である。
【図７ｂ】さらなる実施形態による経時的な光ネットワーク要素の電力消費量を示す概略図である。
【図７ｃ】さらなる実施形態による経時的な光ネットワーク要素の電力消費量を示す概略図である。
【図７ｄ】さらなる実施形態による経時的な光ネットワーク要素の電力消費量を示す概略図である。
【図７ｅ】さらなる実施形態による経時的な光ネットワーク要素の電力消費量を示す概略図である。
【発明を実施するための形態】
【００１５】
図１は、それ自体よく知られているやり方で、光信号が受動光媒体３００を通じて複数の光ネットワーク要素１００と２００の間で交換される、受動光ネットワーク（ＰＯＮ）１０００を現在表すある実施形態による光ネットワーク１０００を概略的に示す。媒体３００は、例えば、ツリートポロジーを含むことができる。
【００１６】
また、ある実施形態による光ネットワーク要素１００が示されている。目下、光ネットワーク要素１００は、前記ＰＯＮ内で動作するように構成された光ネットワークユニット（ＯＮＵ）である。ＯＮＵ１００は、前記媒体３００を介して前記ＰＯＮ１０００の光回線終端装置（ＯＬＴ）２００と接続されている。同様に、（従来のまたは各実施形態による）さらなるＯＮＵは前記媒体を介して前記ＯＬＴ２００に接続することができ、しかしながら、この前記媒体は明確化のために示されていない。
【００１７】
ＯＮＵ１００は、ＯＬＴ２００から光下流伝送を受信するように構成されている受信機Ｒｘと、ＯＬＴ２００へ光上流伝送を送信するように構成されている送信機Ｔｘとを備える。
【００１８】
各実施形態の原理によれば、光ネットワーク要素１００、特に、受動光ネットワーク（ＰＯＮ）１０００のための光ネットワークユニット（ＯＮＵ）１００が提案されており、ここで、前記光ネットワーク要素１００は、一次動作状態で動作するように構成されており、前記光ネットワーク要素１００は、少なくとも１つのさらなる光ネットワーク要素２００、特にＰＯＮ１０００の光回線終端装置（ＯＬＴ）２００と光信号を交換することができ、前記光ネットワーク要素１００は、前記光ネットワーク要素１００の電力消費量が前記一次動作状態に比較して低い少なくとも１つの二次動作状態で動作するように構成されており、前記光ネットワーク要素が一次動作状態から前記少なくとも１つの二次動作状態へ直接遷移するように構成されている。
【００１９】
各実施形態による原理は、ＰＯＮ１０００のためのＯＮＵ１００に限定されないが、例示の目的のために、以下説明される各実施形態は、ＯＮＵ１００として構成されている光ネットワーク要素１００を主に指す。
【００２０】
図２は、ＯＮＵ１００の動作状態および対応する状態遷移が示されているある実施形態によるＯＮＵ１００（図１）の状態図を概略的に示す。さらなる説明では、表現「状態」は、表現「動作状態」と同義的に使用されている。
【００２１】
前記ＯＮＵ１００が完全動作しており、特にＯＬＴ２００などの少なくとも１つのさらなる光ネットワーク要素と光信号を交換することができる一次動作状態は、参照符号Ｓ１を用いて示されている。
【００２２】
有利には、ある実施形態によれば、前記ＯＮＵ１００は、前記ＯＮＵ１００の電力消費量が前記一次動作状態に比較して低い少なくとも１つの二次動作状態Ｓ２で動作するように構成されており、前記ＯＮＵ１００は、一次動作状態Ｓ１から前記少なくとも１つの二次動作状態Ｓ２へ直接遷移するように構成されており、すなわち、そのような場合にはデータはＯＬＴ２００と交換されない。それぞれの状態遷移は、参照符号ｔ１２を用いて示されている。したがって、低パワー状態に入る前に横切られる複数の中間状態を必要とする従来のシステムとは対照的に、動作状態Ｓ１から動作状態Ｓ２へ即座に遷移することによって、電気エネルギー消費量のかなりの低減が達成される。また、２つの状態Ｓ１，Ｓ２だけが含まれているので、根本をなす状態機械／ダイアグラムの複雑さが減少させられている。
【００２３】
好ましい実施形態によれば、前記ＯＮＵは、前記ＯＮＵ１００は、その光受信機Ｒｘ（図１）およびその光送信機Ｔｘを非アクティブ化することができる前述の第１の二次動作状態Ｓ２と、前記光受信機Ｒｘがアクティブ化させせられており、前記ＯＮＵ１００は前記光送信機Ｔｘを非アクティブ化することができる第２の二次動作状態Ｓ３とで動作するように構成されている。したがって、状態Ｓ２は「スリープ状態」とも呼ばれ得、状態Ｓ３は「ドーズ状態」とも呼ばれ得、ここで、送信機Ｔｘが状態Ｓ３で非アクティブ化され得るので、ドーズ状態Ｓ３は一次動作状態Ｓ１に対して低減された電力消費量を有する。スリープ状態Ｓ２では、送信機Ｔｘに加えて、受信機Ｒｘも非アクティブ化され得るので、ＯＮＵ１００はドーズ状態Ｓ３に対して低減された電力消費量を有する。
【００２４】
さらなる実施形態によれば、アクティブ状態としても示され得るとともに遷移ｔ１２に類似している一次動作状態Ｓ１から開始するとき、ＯＮＵ１００は、ドーズ状態Ｓ３（状態遷移ｔ１３を参照）へ直接遷移することもできる。したがって、本実施形態によれば、アクティブ状態Ｓ１から開始するとき、ＯＮＵ１００は、好ましくは、何らかの中間状態を呈することが必要とされずにスリープモード（状態遷移ｔ１２）またはドーズモード（状態遷移ｔ１３）に直接入ることができ、これによってエネルギー節約のスリープ状態Ｓ２またはドーズ状態Ｓ３が即座に達成されるので電気エネルギー消費量を低減する。
【００２５】
さらなる実施形態によれば、ＯＮＵ１００は、スリープ状態Ｓ２からアクティブ状態Ｓ１（状態遷移ｔ２１を参照）へ直接戻ることができる。さらなる実施形態によれば、ＯＮＵ１００は、ドーズ状態Ｓ３からアクティブ状態Ｓ１（状態遷移ｔ３１を参照）へ直接戻ることができる。
【００２６】
さらなる有利な実施形態では、前記ＯＮＵ１００は、一次動作状態Ｓ１へ遷移することなく、第１の二次動作状態Ｓ２から第２の二次動作状態Ｓ３へおよび／または逆の場合も同様に遷移するように構成されている。図２に見られるように、状態Ｓ２から状態Ｓ３への遷移は、さらなる三次の動作状態Ｓ４を介して、すなわち状態遷移ｔ２４、ｔ３４によって遷移することを含み得る。同様に、状態Ｓ３から状態Ｓ２への遷移は、三次状態Ｓ４、すなわち状態遷移ｔ３４、ｔ４２を介しての遷移を含む。
【００２７】
ある実施形態によれば、ＯＮＵ１００は、電力消費量を低減するために、アクティブ状態Ｓ１と比較して前記第１の三次動作状態Ｓ４内で減じられた機能を提供するように構成され得るものであり、特に、パケットプロセッサの機能は、前記第１の三次動作状態Ｓ４で非アクティブ化する。ある実施形態によれば、三次状態Ｓ４において、ＯＮＵは、トラフィック待ちを示すメッセージをただ構文解析するように構成されており、それによって必要に応じて、状態Ｓ４からアクティブ状態Ｓ１（状態遷移ｔ４１参照）またはドーズ状態Ｓ３（状態遷移ｔ４３参照）へ遷移する決定がなされる。さもなければ、ＯＮＵ１００は、例えば、三次状態Ｓ４からスリープ状態Ｓ２へ遷移することができる。
【００２８】
ある実施形態によれば、ＯＮＵ１００は、例えばＯＬＴ２００からなどのさらなる光ネットワーク要素から、ＯＮＵ１００は前記少なくとも１つの二次動作状態、すなわち、スリープ状態Ｓ２またはドーズ状態Ｓ３へ遷移するものとすることを指示する命令を受信するように構成されている。そのような命令を受信すると、ＯＮＵ１００は、対応する状態遷移ｔ１２、ｔ１３を行うことができる。
【００２９】
さらなる実施形態によれば、アクティブ状態Ｓ１は、以下の基準のうちの１つまたは複数によって特徴付けることができる：
−  これは、送信機Ｔｘと受信機Ｒｘの両方がＯＬＴ２００とのデータの交換のためにアクティブ化されているので、ＯＮＵ１００がフルパワーを消費する通常の動作状態である。すなわち、アクティブ状態Ｓ１において、ＯＮＵ１００は、２方向（上流／下流）にデータを転送する能力を有する。さらなる実施形態によれば、アクティブ状態Ｓ１から低パワー状態Ｓ２，Ｓ３への遷移ｔ１２、ｔ１３が許可される。例えば、スリープ状態Ｓ２へ遷移すると、ＯＮＵ１００は、ＯＬＴ２００へ「スリープリクエスト（アウェイク）」メッセージを送信して、それに応じてＯＬＴ２００に通知することができる。
【００３０】
さらなる実施形態によれば、スリープ状態Ｓ２は、以下の基準のうちの１つまたは複数によって特徴付けることができる：
−  ＯＮＵ１００は、局所刺激（ｌｏｃａｌ  ｓｔｉｍｕｌｕｓ）に基づいて起きる能力を保持する。この状態から出る前、ある実施形態によれば、ＯＮＵ１００は、それがフルパワーにされ、同期され、および上流（ＵＳ）および下流（ＤＳ）のトラフィックおよび制御の両方に対応するこができることを確実にすることができる。例えば、これは、スリープ状態Ｓ２をやめるときに送信機Ｔｘおよび受信機Ｒｘをアクティブ化することによって達成することができる。しかしながら、スリープ状態中（すなわち、スリープ状態をやめるために準備をするのは別として）、ＲｘおよびＴｘは、電力消費量の所望の減少を達成するために通常非アクティブ化されることに留意されたい。
【００３１】
さらなる実施形態によれば、ドーズ状態Ｓ３は、以下の基準のうちの１つまたは複数によって特徴付けることができる：
−  受信機Ｒｘはアクティブ化され、送信機Ｔｘは非アクティブ化することができる。ＯＮＵ１００は、ＤＳ信号をリッスンし、アクセス（ＰＯＮインタフェース）から、例えば、前記ＯＮＵ１００に接続されているホームネットワーク（図示せず、ＵＮＩにＤＳトラフィックを転送することができる。ある実施形態によれば、ドーズ状態Ｓ３において、ＯＮＵ１００は、ＯＬＴ２００から命令された「ドーズ許可（オフ）」または「強制ウェイクアップ指示」の局所刺激および／または受信に基づいて起きるように構成されている。ある実施形態によれば、（例えば、アクティブ状態Ｓ１へ遷移するために）ドーズ状態Ｓ３から出る前に、ＯＮＵ１００は、それがフルパワーにされ、（例えば、送信機Ｔｘおよび受信機Ｒｘをアクティブ化することによって）ＵＳトラフィック制御とＤＳトラフィック制御の両方に応えることができることを確実にする。
【００３２】
さらなる実施形態によれば、第１の三次状態Ｓ４（「チェック状態」）は、以下の基準のうちの１つまたは複数によって特徴付けることができる：
−  好ましくは、ＯＮＵの電力消費量はアクティブ状態Ｓ１におけるものより低いが、送信機Ｔｘと受信機Ｒｘの両方がアクティブ化することができる。ある実施形態によれば、チェック（または「プロービング」）状態Ｓ４は、アクティブ状態Ｓ１のフルデータ伝送（例えば、パケットプロセッサ）に比べて必要とされる（例えば、ハードウェアで実装される）機能のサブセットだけを必要とし得る。ＯＮＵ１００は、トラフィック待ちを示すメッセージをただ構文解析するように構成することができ、実際のメッセージは処理され得ない。ある実施形態によれば、チェック状態Ｓ４において、ＯＮＵは、スリープ状態Ｓ２への遷移ｔ４２による遷移の前にＯＬＴ２００へ上流伝送のために待ちデータをシグナリングする、または「スリープに入る」ことをシグナリングするように構成することができる。
【００３３】
以下の表１は、いくつかの実施形態により使用され得るパワー管理パラメータを含む。
【００３４】
【表１】
2017507561.tif 000003
【００３５】
以下の説明において、図２の状態図に関連したさらなる有利な実施形態が示されている。
【００３６】
一実施形態によれば、ＯＮＵ１００（図１）は最初にアクティブ状態Ｓ１（図２）にあることが仮定される。一実施形態によれば、ＯＮＵ１００がＯＬＴ２００からスリープ＿許可（オン）（「ＳＡ（オン）」）メッセージを受信した場合、ＯＮＵ１００はスリープ状態Ｓ２へ遷移することができ（矢印ｔ１２を参照）、周期性スリープモードは期間ＴＳの間に開始する（上記表１を参照）。期間ＴＳの後、ＯＮＵ１００は、ＯＬＴ２００から送信された指示メッセージ（ＩＮＤ）をチェックするために、チェック状態Ｓ４へ遷移し（矢印ｔ２４を参照）、期間ＴＣの間状態Ｓ４に留まる。期間ＴＣの後、ＩＮＤ＝０の場合、ＯＮＵ１００は、ＯＮＵが周期性スリープモードを続けていることをＯＬＴへ通知するように、ＯＬＴ２００へ局所スリープ指示（ＬＳＩ）／スリープリクエスト（スリープ）（ＳＲ（スリープ））を送信し、次いでＯＮＵ１００は、状態Ｓ２（矢印ｔ４２）へ遷移し、別のＴＳの間にスリープする。さもなければ、（ＩＮＤ＝１）、ＯＮＵ１００は、周期性ドーズモードにそれが入るつもりであることをＯＬＴへ通知するために、ＯＬＴ２００へ局所ドーズ指示（ＬＤＩ）／スリープリクエスト（ドーズ）メッセージを送信する。次いで、ＯＮＵ１００は、チェック状態Ｓ４からドーズ状態Ｓ３へ遷移し（矢印ｔ４３）、周期性ドーズモードが開始する。
【００３７】
ある実施形態によれば、ＯＮＵ１００は、ＯＮＵがスリープ状態Ｓ２またはチェック状態Ｓ４にある間に局所ウェイクアップ指示ＬＷＩ／スリープリクエスト（アウェイク）（ＳＲ（アウェイク））メッセージをＯＬＴ２００へ送信することによって周期性スリープモードを終えることができ、次いでＯＮＵ１００は、再びアクティブ状態Ｓ１へ遷移する（矢印ｔ２１またはｔ４１）。さらに、ＯＮＵ１００が周期性スリープモードを経験することをＯＬＴ２００が可能にしない場合、ＯＬＴは、そのチェック状態Ｓ４中にスリープ＿許可（オフ）（ＳＡ（オフ））またはＦＷＩメッセージをＯＮＵへ送信し、それによってＯＮＵ１００がアクティブ状態Ｓ１へさせられる。
【００３８】
ある実施形態によれば、ＯＮＵ１００がＯＬＴ２００からドーズ＿許可（オン）（ＤＡ（オン））メッセージを受信する場合、ＯＮＵ１００は、アクティブ状態Ｓ１からドーズ状態Ｓ３へ遷移し（矢印ｔ１３を参照）、それによって周期性ドーズモードは期間ＴＬの間に開始する。期間ＴＬの後、ＯＮＵ１００はチェック状態Ｓ４へ遷移することができ、その間に、それはＯＬＴ２００へＬＳＩまたはＬＤＩメッセージを送信することができる。ＯＮＵ１００が、ＯＮＵ１００が周期性スリープモードへ移る予定であることを意味するＯＬＴ２００へＬＳＩメッセージを送信する場合、次いで、ＯＮＵ１００は、チェック状態Ｓ４からスリープ状態Ｓ２へ遷移する。さもなければ、（ＯＮＵは、ＯＬＴへＬＤＩメッセージを送信し）、ＯＮＵ１００は、再びドーズ状態へ遷移する（遷移ｔ４３を参照）。
【００３９】
ある実施形態によれば、ＯＮＵは、ＯＮＵ１００がドーズ状態Ｓ３にあるまたはチェック状態Ｓ４にある間に、局所ウェイクアップ指示ＬＷＩ／スリープリクエスト（アウェイク）（ＳＲ（アウェイク））メッセージをＯＬＴへ送信することによって周期性ドーズモードを終えることもでき、次いでＯＮＵは、アクティブ状態Ｓ１へ遷移する。さらに、ＯＮＵ１００が周期性ドーズモードを経験することをＯＬＴ２００が可能にしない場合、ＯＬＴ２００は、そのチェックまたはドーズ状態Ｓ４，Ｓ３中にＯＮＵ１００へドーズ＿許可（オフ）（ＤＡ（オフ））またはＦＷＩメッセージを送信し、ＯＮＵ１００はアクティブ状態Ｓ１へ遷移させられる。
【００４０】
ある実施形態によれば、アクティブ状態Ｓ１中、ＯＮＵ１００が、ＯＬＴ２００からＳＡ（オン）またはＤＡ（オン）メッセージを受信する場合、ＯＮＵ１００は、スリープ状態Ｓ２またはドーズ状態Ｓ３へそれぞれ遷移し、上記手順の全部または一部を繰り返すことができる。
【００４１】
好ましい実施形態によれば、スリープ状態Ｓ２またはドーズ状態Ｓ３にあるＯＮＵ１００は、ＯＮＵ１００が現在、すなわち、状態Ｓ２、Ｓ３中にＯＬＴ２００と通信しない場合でも、ＯＬＴ２００で登録されたままである。さらなる実施形態によれば、ＯＬＴ２００は、ＯＮＵ１００がスリープ状態Ｓ２にあるかドーズ状態Ｓ３にあるか、スリープ／ドーズ期間（ＴＳ、ＴＬ）が終了するまで待つことなく、好ましくは全ての動的帯域割り当て（ＤＢＡ）サイクルにおいて、ＯＮＵ１００がＯＬＴ２００へ帯域リクエストを送信することができるように、少なくとも予め定められた最小ＵＳ帯域を各登録されたＯＮＵ１００へ一貫して割り当てることができる。そうするために、一実施形態によれば、ＯＮＵ１００は、状態Ｓ２、Ｓ３から状態Ｓ４へ一時的に遷移することができる。代替として、ＯＮＵ１００は、前記帯域リクエストをＯＬＴ２００へ送信するために、その送信機を一時的に（すなわち、状態Ｓ２、Ｓ３中に）アクティブ化することができる。したがって、ＯＮＵは、ＬＷＩ／ＳＲ（アウェイク）ビットが現れるときは、いつでも低パワー消費モードを終えることができる。
【００４２】
ある実施形態によれば、期間ＴＳは、ＸＧ−ＰＯＮ基準（ＩＴＵ−Ｔ  Ｇ．９８７．３セクション１６）の「Ａｓｌｅｅｐ」状態におけるＴスリープに類似するように選ぶことができる。ある実施形態によれば、期間ＴＣは、ＸＧ−ＰＯＮ基準のスリープ認識（ｓｌｅｅｐ  ａｗａｒｅ）状態およびドーズ認識（ｄｏｓｅ  ａｗａｒｅ）状態におけるＴａｗａｒｅと同様に選ぶことができる。ある実施形態によれば、期間ＴＬは、ＸＧ−ＰＯＮ基準のリッスン状態におけるＴｓｌｅｅｐと同様に選ぶことができる。
【００４３】
さらなる実施形態によれば、期間ＴＳおよびＴＬ（やはり上記の表１を参照）は、同じであることを必要とせず、すなわち、チェック状態Ｓ４へ遷移する前にそれぞれのスリープ／ドーズ状態Ｓ２、Ｓ３にあるＯＮＵのための様々な待ち時間が選ばれ得る。
【００４４】
以下の表２は、いくつかの実施形態により使用され得るＯＮＵの状態マシンへの入力パラメータを含む。
【００４５】
【表２】
2017507561.tif 000004
【００４６】
ある実施形態によれば、パラメータ（またはこれらのパラメータを表すビット）ＳＡ（オン）、ＳＡ（オフ）、ＤＡ（オン）、ＤＡ（オフ）、およびＩＮＤは、ＯＬＴ２００によって制御される。さらなる実施形態によれば、ＬＷＩ、ＬＳＩ、およびＬＤＩのイベントは、ＯＮＵの三次刺激から概念的に得ることができる。
【００４７】
以下の表３は、ＯＮＵ状態遷移と、いくつかの実施形態により使用され得る出力情報とを含む。
【００４８】
【表３】
2017507561.tif 000005
【００４９】
以下の点に留意されたい：表３のアスタリスク（「＊」）は自己遷移を示し、斜線付きセルは、所与の状態において入力が適切でないことを意味する。
【００５０】
さらなる実施形態によれば、上記の表２に挙げられたパラメータは、以下の基準に基づいて設定されていると仮定される：
−  ＬＷＩ／ＳＲ（アウェイク）：ＵＳトラフィックが到着するときに設定される（ここで、１つのＵＳパケットがあるときはいつでもＬＷＩ＝１であると仮定するとき、ビットは、たった１つのＵＳパケットがあるときに、またはＰ個の多くのＵＳパケットがあるときに、設定することができる）。
−  ＳＡ（オン）：＊  最初に（ＯＮＵ１００はアクティブ状態Ｓ１にあり、低パワーモードに属する任意の状態Ｓ２、Ｓ３に今まで遷移したことがない）、ＳＡ（オン）ビットは、ＯＬＴ２００が期間τの間にＳＲ（アウェイク）メッセージを受信せず（τの間にＵＳトラフィックがないことを意味する）、かつτの終わりに下流（ＤＳ）トラフィックがないときに設定される。
−  ＊  ＯＮＵ１００がＵＳトラフィック伝送の間に任意の他の状態からアクティブ状態Ｓ２へ遷移するとき、ＳＡ（オン）ビットは、ＵＳトラフィックがないときいつでも設定され（ＯＮＵは全てのＵＳトラフィックを伝送した）、そのとき、ＤＳトラフィックはない。
−  ＤＡ（オン）は、ＯＬＴ２００が期間τの間にＳＲ（アウェイク）メッセージを受信しないが（τの間にＵＳトラフィックがないことを意味する）、τの終わりに下流トラフィックがあるときに設定される。
−  ＩＮＤビットは、ＤＳトラフィックの存在を示す。ＩＮＤビットは、ＤＳトラフィック（ここで、１つのＤＳパケットがあるときにＩＮＤ＝１と仮定するすると、１つまたはＰ’個の多くの下流パケットであり得る）が、その先のスリープ時間中にＯＮＵ１００へ向けられるときに設定される。加えて、チェック状態Ｓ４中のＤＳトラフィックの到着は、次のチェック状態においてのみ通知される。
−  ＬＳＩは、ＴＣが終了しかつＩＮＤ＝０である（ＯＮＵ１００はスリープ状態Ｓ２を続ける）ときに設定される、またはＴＣが終了しかつ期間τ１（τ１≦ＴＬ）の間にＤＳトラフィックがなく、一方、ＯＮＵ１００がドーズ状態Ｓ３である（ＯＮＵ１００は周期性ドーズモードにあり、もはや転送すべきＤＳトラフィックはない）ときに設定される。
−  ＬＤＩはＴＣが終了しかつＩＮＤ＝１である（ＯＮＵ１００が周期性スリープモードから周期性ドーズモードへ遷移する）ときに設定され、またはＴＣが終了しかつ期間τ１（τ１≦ＴＬ）の間にＤＳトラフィックがあり、一方、ＯＮＵ１００はドーズ状態Ｓ３にある（ＯＮＵがＤＳトラフィックを送信するために周期性ドーズモードを続ける）ときに設定される。
【００５１】
さらなる実施形態によれば、ＯＮＵ１００が最初にアクティブ状態Ｓ１にあることが仮定されている。次いで、図４ａから図４ｆを参照して以下に述べられるように、時間ダイアグラムを得ることができる。
【００５２】
図４ａは、ある実施形態によるＯＮＵ１００の電力消費量の時間ダイアグラムを示す。最初に、時間ｔ０において、ＯＮＵ１００は、アクティブ状態Ｓ１（図２）にある。時間間隔τ中にＵＳデータがなくかつ前記時間間隔τの終わりにＤＳデータがない場合、ＯＬＴ２００は、ＯＮＵ１００がスリープ状態Ｓ２へ遷移することを可能にする。（ある実施形態によれば、ＯＬＴ２００が一定期間、例えば、τよりも長いわずかの時間、ＯＮＵ１００からＳＲ（アウェイク）メッセージを受信しない場合、ＯＬＴ２００は、ＵＳトラフィックがないことを知る）。したがって、図４ａから見ることができるように、ｔ１において、ＯＮＵ１００はスリープ状態Ｓ２に遷移し、これによりｔ＜ｔ１におけるＰＦｕｌｌからｔ１から先のＰＡｓｌｅｅｐへ電力消費量が低減される。上述したようにスリープ期間ＴＳの終了後、ｔ２において、ＯＮＵ１００は、期間ＴＣの間チェック状態Ｓ４へ遷移して、時間ｔ３においてスリープ状態Ｓ２に再び戻る。それによって「周期性スリープモード」が確立される。本実施形態において、チェック状態Ｓ４中の電力消費量は、アクティブ状態Ｓ１と比較して低減されないことに留意されたい。しかしながら、すでに上述したように、好ましい実施形態によれば、ＯＮＵ１００は、チェック状態Ｓ４において、減じられた機能（例えば、パケット処理がない等）を提供することもでき、これによりチェック状態Ｓ４における電力消費量の低減をもたらす。しかしながら、これは、簡単にするために図４ａによって示されていない。
【００５３】
図４ｂは、さらなる実施形態によるＯＮＵ１００の電力消費量の時間ダイアグラムを示す。見られるように、時間ｔ４において、ＵＳトラフィックがスリープ状態Ｓ２中に到着し、ＬＷＩ／ＳＲ（アウェイク）ビットが設定され、ＯＮＵ１００はアクティブ状態Ｓ１に遷移し、全てのＵＳトラフィックを遷移するようにそこに留まる。全てのＵＳトラフィックの送信後かつＤＳトラフィックがある場合、ＯＬＴ２００は、ＤＡ（オン）メッセージを送信することによってＯＮＵ１００が周期性ドーズモードへ遷移することを可能にし、その結果、ｔ５から、ドーズモードに対応する低減された電力消費量ＰＬｉｓｔｅｎを得ることができる。ｔ６において、ＯＮＵ１００はチェック状態Ｓ４へ遷移し、期間ＴＣ後にドーズ状態Ｓ３へ戻る。
【００５４】
図４ｃは、さらなる実施形態によるＯＮＵ１００の電力消費量の時間ダイアグラムを示す。見られるように、時間ｔ４１において、ＵＳトラフィックがチェック状態中に到着し、ＬＷＩ／ＳＲ（アウェイク）ビットが設定され、ＯＮＵ１００はアクティブ状態Ｓ１に遷移し、全てのＵＳトラフィックを送信するためにそこに留まる。全てのＵＳトラフィックの送信後、ＤＳトラフィックはなく、次いでＯＬＴ２００は時間ｔ５１において、ＳＡ（オン）メッセージを送信することによってＯＮＵ１００が再びスリープ状態へ遷移することを可能にする。
【００５５】
図４ｄは、さらなる実施形態によるＯＮＵ１００の電力消費量の時間ダイアグラムを示す。見られるように、時間ｔ４２において、ＵＳトラフィックがチェック状態Ｓ４中に到着し、ＬＷＩ／ＳＲ（アウェイク）ビットが設定され、ＯＮＵ１００はアクティブ状態Ｓ１に遷移し、全てのＵＳトラフィックを送信するためにそこに留まる。全てのＵＳトラフィックの送信後、終わりにＤＳトラフィックがあり、時間ｔ５２において、ＯＬＴ２００は、ＤＡ（オン）メッセージを送信することによってＯＮＵ１００が周期性ドーズモードに遷移することを可能にし、そこでＯＮＵ１００はドーズ状態Ｓ３に遷移し、期間ＴＬの間そこに留まり、次いでチェック状態Ｓ４に戻る、等。
【００５６】
図４ｅは、さらなる実施形態によるＯＮＵ１００の電力消費量の時間ダイアグラムを示す。見られるように、時間ｔ６において、ＤＳトラフィックは、（低電力要求ＰＡｓｌｅｅｐで）ＯＮＵのスリープ状態Ｓ２中に到着し、その結果、ＯＮＵ１００は時間ｔ７においてチェック状態Ｓ４に遷移し、ＯＮＵ１００はＯＬＴ２００から送信されるＩＮＤメッセージによって通知される。次いで、ＯＮＵは、ＤＳトラフィックを転送するために周期性ドーズモードへ遷移する。
【００５７】
図４ｆは、さらなる実施形態によるＯＮＵ１００の電力消費量の時間ダイアグラムを示す。見られるように、時間ｔ８において、ＤＳトラフィックがチェック状態Ｓ４中に到着し、ＯＮＵ１００は、時間ｔ８１を発端とする次のチェック状態においてＯＬＴ２００から送信されるＩＮＤメッセージによって通知され、次いでＯＮＵは、それが周期性ドーズモードになることを通知するためにＯＬＴへＬＤＩメッセージを送信し、結果として低減された電力消費量ＰＬｉｓｔｅｎになる。
【００５８】
図５ａによって示されるさらなる実施形態によれば、時間間隔τ中にＵＳトラフィックがないが、時間間隔τの終わりにＤＳトラフィックがある場合、例えば、時間ｔ９において、ＯＬＴ２００はＯＮＵ１００が周期性ドーズモードへ遷移することを可能にする。また、時間ｔ１０において、ＵＳトラフィックがドーズ状態Ｓ３中に到着し、ＬＷＩ／ＳＲ（アウェイク）ビットが設定され、ＯＮＵ１００は前記ＵＳトラフィックを処理するためにアクティブ状態Ｓ１（図２）に遷移する。時間ｔ１１によって定められたＵＳトラフィック伝送の終わりに、ＤＳトラフィックがあり、次いでＯＬＴ２００は、ＤＡ（オン）メッセージを送信することによってＯＮＵ１００が周期性ドーズモードを続けることを可能にする。
【００５９】
図５ｂは、さらなる実施形態によるＯＮＵ１００の電力消費量の時間ダイアグラムを示す。見られるように、時間ｔ１２において、ＵＳトラフィックがドーズ状態Ｓ３中に到着し、ＬＷＩ／ＳＲ（アウェイク）ビットが設定され、ＯＮＵ１００は前記ＵＳトラフィックを処理するためにアクティブ状態Ｓ１に遷移する。ＵＳトラフィック伝送の終わりに、時間ｔ１３においてＤＳトラフィックがなく、次いでＯＬＴ２００は、ＳＡ（オン）メッセージを送信することによってＯＮＵ１００が周期性スリープモードに遷移することを可能にする。周期性スリープモードが開始する。
【００６０】
図５ｃは、さらなる実施形態によるＯＮＵ１００の電力消費量の時間ダイアグラムを示す。見られるように、時間ｔ１４において、ＵＳトラフィックがチェック状態Ｓ４中に到着し、ＬＷＩ／ＳＲ（アウェイク）ビットが設定され、ＯＮＵ１００は全てのＵＳトラフィックを処理するためにアクティブ状態Ｓ１に遷移する。ＵＳ伝送の終わりに、時間ｔ１５においてＤＳトラフィックがあり、次いでＯＬＴ２００は、ＯＮＵ１００が周期性ドーズモードを続けることを可能にする。
【００６１】
図５ｄは、さらなる実施形態によるＯＮＵ１００の電力消費量の時間ダイアグラムを示す。見られるように、時間ｔ１６において、ＵＳトラフィックがチェック状態Ｓ４中に到着し、ＯＮＵ１００は、前記ＵＳトラフィックを処理するためにアクティブ状態Ｓ１へ遷移する。ＵＳトラフィック伝送の終わりに、ＤＳトラフィックがなく、次いでＯＬＴ２００は、ＯＮＵ１００が周期性スリープモードへ移ることを可能にする。
【００６２】
図５ｅは、さらなる実施形態によるＯＮＵ１００の電力消費量の時間ダイアグラムを示す。見られるように、ｔ１７を発端として、ＯＮＵ１００は周期性ドーズモードにある。ドーズ状態Ｓ３中、時間ｔ１８から、期間τ１の間にＤＳトラフィックはなく、ＯＮＵ１００は、ＯＬＴ２００へＬＳＩメッセージを送信することによって周期性スリープモードに入り、一方ＯＮＵ１００は、ドーズ状態Ｓ３からチェック状態Ｓ４へ遷移する。
【００６３】
図２による実施形態は、スリープ状態Ｓ２およびドーズ状態Ｓ３を含む４つの状態Ｓ１、Ｓ２、Ｓ３、Ｓ４だけがＯＮＵの動作を効率よく制御するのに必要とされるという点で既存のＯＮＵ構成よりも特に有利である。また、各実施形態によるＯＮＵ１００は、スリープ状態またはドーズ状態Ｓ２およびＳ３に入るために、数多くの動作状態を遷移することが必要とされない。むしろ、ＯＮＵ１００は、アクティブ状態Ｓ１からスリープ状態またはドーズ状態Ｓ２およびＳ３へ直接遷移することができる。また、ＯＮＵ１００は、スリープ状態Ｓ２からドーズ状態Ｓ３へ変わるときにアクティブ状態Ｓ１に入ることが必要とされず、逆の場合も同様である。
【００６４】
図３は、さらなる実施形態によるＯＮＵ１００（図１）の動作状態および対応する状態遷移が示されている、ＯＮＵ１００の状態図を概略的に示す。
【００６５】
前記ＯＮＵ１００が完全動作しており、特にＯＬＴ２００などの少なくとも１つのさらなる光ネットワーク要素と光信号を交換することができる一次動作状態は、参照符号Ｓ１を用いて示されている。
【００６６】
本実施形態によれば、ＯＮＵ１００は、前記ＯＮＵ１００が光受信機Ｒｘおよび光送信機Ｔｘを非アクティブ化することができる第１の二次動作状態Ｓ５と、前記光受信機Ｒｘがアクティブ化されるとともに前記ＯＮＵ１００は前記光送信機Ｔｘを非アクティブ化することができる第２の二次動作状態Ｓ６とで動作するように構成されている。状態Ｓ５は、図２の本実施形態のスリープ状態Ｓ２に類似してスリープ状態として示され得、一方、図２の本実施形態のドーズ状態Ｓ３に類似して、状態Ｓ６はドーズ状態として示され得る。
【００６７】
図２の本実施形態とは対照的に、図３の本実施形態は、第１の三次状態Ｓ７がスリープ状態Ｓ５と関連しているとともに、第２の三次状態Ｓ８がドーズ状態Ｓ６と関連している２つの三次状態Ｓ７、Ｓ８を与える。
【００６８】
本実施形態によれば、ＯＮＵ１００は、一次動作状態Ｓ１へ遷移することなく第１の二次動作状態Ｓ５から第２の二次動作状態Ｓ６へおよび／または逆の場合も同様に遷移するように構成されている。より正確には、本実施形態によれば、前記ＯＮＵ１００は、前記第１の三次動作状態Ｓ７を介して第１の二次動作状態Ｓ５から第２の二次動作状態Ｓ６へ遷移するように構成され、および／または前記第２の三次動作状態Ｓ８を介して第２の二次動作状態Ｓ６から第１の二次動作状態Ｓ５へ遷移するように構成されている。
【００６９】
好ましい実施形態によれば、前記ＯＮＵ１００は、前記第１の三次動作状態Ｓ７に前記光送信機Ｔｘを非アクティブ化するように構成されており、それによって電力消費量の低減が達成されている。特に好ましい実施形態によれば、状態Ｓ７中、前記光送信機Ｔｘは、常にオフである。
【００７０】
さらなる実施形態によれば、図３のアクティブ状態Ｓ１は、以下の基準のうちの１つまたは複数によって特徴付けることができる：
−  アクティブ状態Ｓ１は、ＯＮＵ１００の通常動作を表す。受信機Ｒｘと送信機Ｔｘの両方がアクティブ化されるので、通常、ＯＮＵ１００は、フルパワーを消費し、２方向にデータを転送する能力を有する。低い（より低い）パワー状態Ｓ５およびＳ６への遷移が許可される。これらの状態へ遷移すると、ＯＮＵ１００は、ＯＬＴ２００へスリープリクエスト（アウェイク）メッセージを送信することができる。
【００７１】
さらなる実施形態によれば、図３のスリープ状態Ｓ５は、以下の基準のうちの１つまたは複数によって特徴付けることができる：
−  ＯＮＵ１００は、局所刺激に基づいてウェイクアップする能力を保持する。好ましくは、この状態は、局所ウェイクアップ指示ＬＷＩの到着によって切り詰められない場合、期間Ｔ＿スリープの間持続する。この状態を出る前に、好ましくは、ＯＮＵ１００は、フルパワーにされ、同期され、ＵＳおよびＤＳトラフィックと制御との両方に応じることができることを確実にする。これは、例えば、スリープ状態Ｓ５をやめるときに、送信機Ｔｘおよび受信機Ｒｘをアクティブ化することによって達成することができる。しかしながら、スリープ状態Ｓ５中（すなわち、スリープ状態をやめるために準備をするのは別として）、電力消費量の所望の減少を達成するために、ＲｘおよびＴｘは、通常非アクティブ化されることに留意されたい。
【００７２】
さらなる実施形態によれば、「スリープ認識状態」としても示される得る図３の状態Ｓ７は、以下の基準のうちの１つまたは複数によって特徴付けることができる：
−  この状態は、局所刺激ＬＷＩによって、またはスリープ許可（オフ）（ＳＡ（オフ））またはＯＬＴからの強制ウェイクアップ指示（ＦＷＩ）メッセージの受信によって、切り詰められない場合、期間Ｔ＿Ｓａｗａｒｅの間持続する。（代替として、下流のトラフィックの利用可能性を探るだけにこの状態を用いるときに、スリープ認識状態Ｓ７は、ＲｘをオンおよびＴｘをオフだけさせることができる）。
【００７３】
さらなる実施形態によれば、「ドーズ状態」として示すこともできる図３の状態Ｓ６は、以下の基準のうちの１つまたは複数によって特徴付けることができる：
−  ＯＮＵは、局所刺激あるいはドーズ許可（オフ）−ＤＡ（オフ）−またはＯＬＴからのＦＷＩの受信に基づいてウェイクアップする能力を保持しつつ、ＤＳ信号をリッスンし、アクセス（ＰＯＮインタフェース）からホームネットワーク（ＵＮＩ）へＤＳトラフィックを転送する。好ましくは、受信機Ｒｘは状態Ｓ６においてアクティブ化され、一方、送信機Ｔｘは非アクティブ化され得る。この状態を出る前に、ＯＮＵは、フルパワーにされ、ＵＳトラフィックとＤＳトラフィックの制御の両方に対応できることを確実にする。
【００７４】
さらなる実施形態によれば、「ドーズ認識状態」としても示され得る図３の状態Ｓ８は、以下の基準のうちの１つまたは複数によって特徴付けることができる：
−  この状態は、局所刺激ＬＷＩまたはＤＡ（オフ）の受信またはＯＬＴからのＦＷＩによって切り詰められない場合、期間Ｔ＿Ｄａｗａｒｅの間持続する。好ましくは、受信機Ｒｘと送信機Ｔｘの両方は、状態Ｓ８中にアクティブ化される。
【００７５】
以下の表４は、いくつかの実施形態により使用され得るパワー管理パラメータを備える。
【００７６】
【表４】
2017507561.tif 000006
【００７７】
以下の説明において、図３の状態図に関連したさらなる有利な実施形態が示されている。一実施形態によれば、まず、ＯＮＵ１００（図１）は、アクティブ状態Ｓ１（図３）にあることが仮定される。
【００７８】
一実施形態によれば、ＯＮＵ１００がＯＬＴ２００からスリープ＿許可（オン）（「ＳＡ（オン）」）メッセージを受信する場合、ＯＮＵ１００は、期間Ｔ＿ｓｌｅｅｐの間、スリープ状態Ｓ５（遷移ｔ１５参照）（周期性スリープモードが開始できる）に遷移する。
【００７９】
ある実施形態によれば、Ｔ＿ｓｌｅｅｐの後、ＯＮＵ１００は、局所ウェイクアップ指示（ＬＷＩ）／スリープリクエスト（アウェイク）（ＳＲ（アウェイク））メッセージが刺激されていない場合、あるいはＯＮＵ１００がＳＡ（オフ）またはＯＬＴ２００からのＦＷＩメッセージを受信していない場合、期間Ｔ＿Ｓａｗａｒｅの間スリープ認識状態Ｓ７（遷移ｔ５７）に遷移する。ＯＮＵ１００がスリープ認識状態Ｓ７中にそれらのメッセージを受信する場合は、一実施形態によれば、スリープ認識状態は直ちに終わり、ＯＮＵ１００はアクティブ状態Ｓ１（遷移ｔ７１を参照）に遷移する。しかしながら、ＯＮＵ１００がスリープ認識状態中にＯＬＴ２００からドーズ＿許可（ＤＡ（オン））メッセージを受信する場合、その状態において期間Ｔ＿Ｓａｗａｒｅの後、それはドーズ状態（遷移ｔ７６を参考）に遷移し、周期性ドーズモードが開始できる。加えて、スリープ状態Ｓ５中、ＯＮＵ１００は、ＯＬＴ２００へＬＷＩ／ＳＲ（アウェイク）メッセージを送信することによって周期性スリープモードを終わらせることができ、次いでＯＮＵ１００は、アクティブ状態Ｓ１への遷移ｔ５１によって遷移することができる。
【００８０】
ある実施形態によれば、アクティブ状態Ｓ１を発端として、ＯＮＵ１００がＯＬＴ２００からドーズ＿許可（オン）（ＤＡ（オン））メッセージを受信する場合、ＯＮＵは、遷移ｔ１６によってドーズ状態Ｓ６に変遷し、周期性ドーズモードは期間Ｔ＿ｌｉｓｔｅｎの間に開始することができる（周期性ドーズモードは、例えば、遷移ｔ６８、ｔ８６による状態Ｓ６とＳ８の間の周期的遷移によって特徴付けられることができる）。Ｔ＿ｌｉｓｔｅｎの後、ＯＮＵ１００は、局所ウェイクアップ指示（ＬＷＩ）／スリープリクエスト（アウェイク）（ＳＲ（アウェイク））メッセージが刺激されない場合、またはＯＮＵがＯＬＴからＤＡ（オフ）／ＦＷＩメッセージを受信しない場合、期間Ｔ＿Ｄａｗａｒｅの間ドーズ認識状態Ｓ８（矢印ｔ６８を参照）へ遷移する。ＯＮＵがドーズ認識状態Ｓ８中にこれらのメッセージを受信する場合、ドーズ認識状態Ｓ８は、直ちに終えられ、ＯＮＵ１００は遷移ｔ８１によってアクティブ状態Ｓ１へ遷移する。しかしながら、ＯＮＵがドーズ認識状態Ｓ８中にＯＬＴからＳＡ（オン）メッセージを受信する場合、その状態Ｓ８における期間Ｔ＿Ｄａｗａｒｅの後に、それは遷移ｔ８５を介してスリープ状態Ｓ５へ遷移し、例えば、遷移ｔ５７、ｔ７５によって状態Ｓ５、Ｓ７の間の周期的遷移によって特徴付けられ得る周期性スリープモードを開始することができる。
【００８１】
ある実施形態によれば、ドーズ状態Ｓ６中、ＯＮＵ１００は、ＯＬＴ２００へＬＷＩ／ＳＲ（アウェイク）メッセージを送信することによって周期性ドーズモードを終えることができ、そして、ＯＮＵ１００は、遷移ｔ６１を介してアクティブ状態へ遷移することができる。さらに、ＯＮＵ１００はＤＡ（オフ）またはＯＬＴ２００からのＦＷＩメッセージを受信した場合、アクティブ状態Ｓ１へ遷移することが強制される。
【００８２】
ある実施形態によれば、アクティブ状態Ｓ１中、ＯＮＵ１００がＯＬＴ２００からＳＡ（オン）またはＤＡ（オン）メッセージを受信した場合、ＯＮＵ１００は、スリープ状態Ｓ５またはドーズ状態Ｓ６へそれぞれ遷移し、上記手順は繰り返され得る。
【００８３】
ある実施形態によれば、状態Ｓ５、Ｓ６、Ｓ７、Ｓ８にあるＯＮＵ１００は、ＯＮＵ１００が現在ＯＬＴ２００と通信していなくてもＯＬＴ２００で登録されたままであり得る。加えて、ＯＬＴ２００は、例えば、スリープ／ドーズ期間が終了するのを待つことなくＯＮＵがスリープ状態にあろうとドーズ状態にあろうとＤＢＡサイクルごとにＯＮＵ１００がＯＬＴへ帯域リクエストを送信することができるように、少なくとも最小の上流帯域を各登録ＯＮＵ１００に一貫性をもって割り当てることができる。したがって、ＯＮＵは、例えば、ＬＷＩ／ＳＲ（アウェイク）ビットによって表される対応する指示が現れるときはいつでも低パワー消費モードを終えることができる。
【００８４】
さらなる実施形態によれば、Ｔ＿ｌｉｓｔｅｎは、ＸＧ−ＰＯＮ基準のリッスン状態における「Ｔｓｌｅｅｐ」パラメータと同様であるように選ばれ得る。さらなる実施形態によれば、パラメータＴ＿ｓｌｅｅｐおよびＴ＿ｌｉｓｔｅｎは、互いに異なるものであり得る。さらなる実施形態によれば、Ｔ＿Ｄａｗａｒｅは、ＸＧ−ＰＯＮ基準の「ドーズ認識」状態についての「Ｔａｗａｒｅ」パラメータと同様であるように選ばれ得る。さらなる実施形態によれば、Ｔ＿ＳａｗａｒｅおよびＴ＿Ｄａｗａｒｅは、互いに異なるものであり得る。
【００８５】
以下の表５は、いくつかの実施形態により使用され得るＯＮＵの状態マシンへの入力パラメータを含む。
【００８６】
【表５】
2017507561.tif 000007
【００８７】
ある実施形態によれば、ＳＡ（オン）、ＳＡ（オフ）、ＤＡ（オン）、およびＤＡ（オフ）情報（例えば、ビット）は、ＯＬＴ２００によって制御することができ、ＬＷＩイベントは、ＯＮＵの三次刺激から概念的に得ることができる。
【００８８】
以下の表６は、いくつかの実施形態により、好ましくは図３の状態図に関連しているそのような実施形態により使用され得るＯＮＵ状態遷移および出力情報を含む。
【００８９】
【表６】
2017507561.tif 000008
【００９０】
以下の点に留意されたい：表６のアスタリスク（「＊」）は自己遷移を示し、斜線付きセルは、所与の状態において入力が適切でないことを意味する。
【００９１】
さらなる実施形態によれば、上記の表６に挙げられたパラメータは、以下の基準に基づいて設定されていると仮定される：
−  ＬＷＩ／ＳＲ（アウェイク）：ＵＳトラフィックが到着するときに、ＬＷＩビットが設定され、ＯＮＵ１００はＳＲ（アウェイク）をＯＬＴ２００へ送信する。
−  ＳＡ（オン）：  ＊  最初に（ＯＮＵはアクティブ状態Ｓ１にあり、低パワーモードに属する任意の状態Ｓ５からＳ８に今までなったことがないとき）、ＳＡ（オン）ビットは、ＯＬＴ２００が期間τの間にＳＲ（アウェイク）メッセージを受信せず（τの間にＵＳトラフィックがないことを意味する）、かつτの終わりに下流（ＤＳ）トラフィックがないときに設定される。＊  ＯＮＵ１００が低パワーモードに属する任意の状態Ｓ５からＳ８からＵＳ伝送の間およびＵＳトラフィック伝送の終わりのアクティブ状態Ｓ１へ遷移するとき、ＤＳトラフィックはない。＊  ＯＮＵはドーズ状態Ｓ６（図３）であり、期間τ１≦ＴＬｉｓｔｅｎの間にＤＳトラフィックがなく、次いで、ＳＡ（オン）ビットは、ＯＮＵ１００がドーズ状態Ｓ６からドーズ認識状態Ｓ８へ遷移するときに、ＯＬＴ２００からへＯＮＵ１００送信される。ここで、周期性ドーズモードがＵＳトラフィックによって切り詰められてないと例示的に仮定される。
−  ＤＡ（オン）：＊  最初に（ＯＮＵはアクティブ状態Ｓ１にあり、低パワーモードに属する任意の状態Ｓ５からＳ８に今までなかった）、ＤＡ（オン）ビットは、ＯＬＴが期間τの間にＳＲ（アウェイク）メッセージを受信せず（τの間にＵＳトラフィックがないことを意味する）、かつτの終わりに下流（ＤＳ）トラフィックがあるときに設定される。＊  ＯＮＵが低パワーモードに属する任意の状態Ｓ５からＳ８からＵＳ伝送の間およびＵＳトラフィック伝送の終わりのアクティブ状態Ｓ１へ遷移するときに、ＤＳトラフィックがある。＊  ＯＮＵは、（スリープ状態Ｓ５またはスリープ認識状態Ｓ７のいずれか一方における）周期性スリープモードにあり、ＯＮＵ１００へ向けられるＤＳトラフィックがある場合、以下のスリープ認識状態において、ＤＡ（オン）ビットは、ＯＬＴ２００からＯＮＵ１００へ送信される。ここで、周期性スリープモードはＵＳトラフィックによって切り詰められていないと仮定される。
【００９２】
以下の略は、簡単にするために以下説明される図６ａから図７ｅの時間ダイアグラムに使用されている：ＴＳ＜−＞Ｔ＿ｓｌｅｅｐ、ＴＳＡ＜−＞Ｔ＿Ｓａｗａｒｅ、ＴＬ＜−＞Ｔ＿ｌｉｓｔｅｎ、ＴＤＡ＜−＞Ｔ＿Ｄａｗａｒｅ。
【００９３】
さらなる実施形態によれば、ＯＮＵ１００は最初にアクティブ状態Ｓ１にあると仮定されている。そして、図６ａから図７ｅを参照して下記で論じる時間ダイアグラムが得られ得る。
【００９４】
図６ａは、ある実施形態によるＯＮＵ１００の電力消費量の時間ダイアグラムを示す。最初に、時間ｔ０において、ＯＮＵ１００は、アクティブ状態Ｓ１（図３）にある。時間間隔τ中にＵＳがなくおよび前記時間間隔τの終わりにＤＳがない場合、ＯＬＴ２００は、ＯＮＵ１００が周期性スリープモードに入ることを可能にする。（ＯＬＴ２００が一定期間、例えば、τよりも長いわずかの時間、ＯＮＵ１００からＳＲ（アウェイク）メッセージを受信しない場合、ＯＬＴは、ＵＳトラフィックがないことを知る）。図６ａから見ることができるように、ＵＳトラフィックがスリープ状態Ｓ５中に時間ｔ２０において到着し、ＬＷＩ／ＳＲ（アウェイク）ビットが設定され、ＯＮＵ１００はアクティブ状態Ｓ１に遷移し、全てのＵＳトラフィックを送信するためにそこに留まる。全てのＵＳトラフィックの送信後、時間ｔ２１において、もうＤＳトラフィックがない場合、ＯＬＴは、ＳＡ（オン）メッセージを送信することによってＯＮＵが再びスリープモードへ遷移することを可能にする。
【００９５】
図６ｂは、さらなる実施形態によるＯＮＵ１００の電力消費量の時間ダイアグラムを示す。現在、ＵＳトラフィックは、スリープ状態中に時間ｔ２０に到着し、ＬＷＩ／ＳＲ（アウェイク）ビットが設定することができ、ＯＮＵ１００はアクティブ状態Ｓ１（図３）へ遷移し、全てのＵＳトラフィックを送信するためにそこに留まる。全てのＵＳトラフィックを送信後、時間ｔ２１’においてＤＳトラフィックがある場合、ＯＬＴは、ＤＡ（オン）メッセージを送信することによってＯＮＵが周期性ドーズモードへ遷移することを可能にする。
【００９６】
図６ｃは、さらなる実施形態によるＯＮＵ１００の電力消費量の時間ダイアグラムを示す。図６ｃから見ることができるように、ＵＳトラフィックがスリープ認識状態中に時間ｔ２２において到着し、ＬＷＩ／ＳＲ（アウェイク）ビットが設定でき、ＯＮＵ１００はアクティブ状態Ｓ１に遷移し、全てのＵＳトラフィックを送信するためにそこに留まる。全てのＵＳトラフィックの送信後、ＤＳトラフィックがなく、次いでＯＬＴは、ＳＡ（オン）メッセージを送信することによって、ＯＮＵが再び周期性スリープモードへ遷移することを可能にする。
【００９７】
図６ｄは、さらなる実施形態によるＯＮＵ１００の電力消費量の時間ダイアグラムを示す。図６ｄから見ることができるように、時間ｔ２３において、ＵＳトラフィックがスリープ認識状態Ｓ７（図３）中に到着し、ＬＷＩ／ＳＲ（アウェイク）ビットが設定でき、ＯＮＵ１００はアクティブ状態Ｓ１に遷移し、全てのＵＳトラフィックを送信するためにそこに留まる。全てのＵＳトラフィックの送信後、終わりにＤＳトラフィックがあり、ＯＬＴ２００は、ＯＮＵ１００が、ＤＡ（オン）メッセージを送信することによって周期性ドーズモードへ遷移することを可能にする。図６ｄにやはりみられるように、周期性ドーズモードにおいて、ＯＮＵ１００の電力消費量は、スリープ状態Ｓ５におけるよりも大きく、しかしアクティブ状態Ｓ１よりも小さい。
【００９８】
図６ｅは、さらなる実施形態によるＯＮＵ１００の電力消費量の時間ダイアグラムを示す。図６ｅから見ることができるように、時間ｔ２４において、ＤＳトラフィックがスリープ状態Ｓ５中に到着する。ＯＮＵ１００がスリープ認識状態Ｓ７にその後遷移するとき、時間ｔ２５において、ＯＬＴ２００からＯＮＵ１００へＤＡ（オン）メッセージが送信されることによってそれはＤＳトラフィックの通知がされる。次いで、Ｔ＿Ｓａｗａｒｅ（略：図６ｅ中の「ＴＳＡ」）が終了した後、ＯＮＵ１００は、ＤＳトラフィックを転送するためにドーズ状態Ｓ６へ遷移する。
【００９９】
図６ｆは、さらなる実施形態によるＯＮＵ１００の電力消費量の時間ダイアグラムを示す。図６ｆから見ることができるように、時間ｔ２６において、ＤＳトラフィックがスリープ認識状態Ｓ７中に到着し、ＯＮＵは、時間ｔ２７において続くスリープ認識状態でＤＡ（オン）メッセージがＯＬＴ２００から送信されることによって通知される。そして、Ｔ＿Ｓａｗａｒｅの終了後、ＯＮＵは、ＤＳトラフィックを進めるためにドーズ状態Ｓ６へ遷移する。
【０１００】
さらなる実施形態によれば、時間間隔τ中にＵＳがないが、時間間隔τの終わりにＤＳがある場合、ＯＬＴは、ＯＮＵが周期性ドーズモードに入ることを可能にする。
【０１０１】
図７ａは、さらなる実施形態によるＯＮＵ１００の電力消費量の時間ダイアグラムを示す。図７ａから見ることができるように、時間ｔ３０において、ＵＳトラフィックがドーズ状態Ｓ６中に到着し、ＬＷＩ／ＳＲ（アウェイク）ビットが設定でき、ＯＮＵ１００は全てのＵＳトラフィックを処理するためにアクティブ状態Ｓ１に遷移する。ＵＳトラフィック送信の終わりに、ＤＳトラフィックがあり、次いでＯＬＴは、ＤＡ（オン）メッセージを送信することによってＯＮＵが周期性ドーズモードを続けることを可能にする。
【０１０２】
図７ｂは、さらなる実施形態によるＯＮＵ１００の電力消費量の時間ダイアグラムを示す。図７ｂから見ることができるように、時間ｔ３０において、ＵＳトラフィックがドーズ状態Ｓ６中に到着し、ＬＷＩ／ＳＲ（アウェイク）ビットが設定でき、ＯＮＵ１００は、全てのＵＳトラフィックを処理するためにアクティブ状態Ｓ１へ遷移する。ＵＳトラフィック伝送の終わりに、ＤＳトラフィックがなく、次いでＯＬＴは、ＳＡ（オン）メッセージを送信することによってＯＮＵが周期性スリープモードに入ることを可能にする。周期性スリープモードは時間ｔ３１に開始し、遷移ｔ５７を介してスリープ状態Ｓ５からスリープ認識状態Ｓ７へ（図３）および遷移ｔ７５を介して逆の場合も同様に、ＯＮＵ１００が周期的に遷移することによって特徴付けられる。
【０１０３】
図７ｃは、さらなる実施形態によるＯＮＵ１００の電力消費量の時間ダイアグラムを示す。図７ｃから見ることができるように、時間ｔ３２において、ＵＳトラフィックがドーズ認識状態中に到着し、ＬＷＩ／ＳＲ（アウェイク）ビットが設定でき、ＯＮＵ１００は、全てのＵＳトラフィックを処理するためにアクティブ状態へ遷移する。ＵＳ伝送の終わりにおいて、ＤＳトラフィックがあり、したがって、ＯＬＴは、ＤＡ（オン）メッセージを送信することによってＯＮＵが周期性ドーズモードを続けることを可能にする。
【０１０４】
図７ｄは、さらなる実施形態によるＯＮＵ１００の電力消費量の時間ダイアグラムを示す。図７ｄから見ることができるように、時間ｔ３３において、ＵＳトラフィックがドーズ認識状態Ｓ８中に到着し、ＯＮＵ１００は、全てのＵＳトラフィックを処理するためにアクティブ状態Ｓ１に遷移する。ＵＳトラフィック伝送の終わりにおいて、ＤＳトラフィックがなく、続いてＯＬＴは、ＯＮＵが、ＳＡ（オン）メッセージを送信することによって周期性スリープモードに入ることを可能にする。
【０１０５】
図７ｅは、さらなる実施形態によるＯＮＵ１００の電力消費量の時間ダイアグラムを示す。図７ｅから見ることができるように、ＯＮＵ１００がドーズ状態Ｓ６にある間に、時間ｔ３４において、時間間隔τ１中にＤＳがなく、ドーズ認識状態Ｓ８への遷移後、ＯＮＵ１００は、ＯＬＴからＳＡ（オン）メッセージを受信し、これによってＯＮＵが周期性スリープモードに入るのを可能にする。次いで、時間ｔ３５において、ＯＮＵは、スリープ状態に遷移する。
【０１０６】
図３による本実施形態は、スリープ状態Ｓ５およびドーズ状態Ｓ６を含む５つの状態Ｓ１、Ｓ５、Ｓ６、Ｓ７、Ｓ８だけがＯＮＵの動作を効率よく制御するのに必要されるという点で既存のＯＮＵ構成よりも特に有利である。また、各実施形態によるＯＮＵ１００は、スリープ状態またはドーズ状態Ｓ５およびＳ６に入るために、数多くの動作状態を遷移することが必要とされない。むしろ、ＯＮＵ１００は、アクティブ状態Ｓ１からスリープ状態またはドーズ状態Ｓ５およびＳ６へ直接遷移することができる。また、ＯＮＵ１００は、スリープ状態Ｓ５からドーズ状態Ｓ６へ変わるときにアクティブ状態Ｓ１に入ることが必要とされず、逆の場合も同様である。
【０１０７】
現在の従来のＸＧ−ＰＯＮ基準におけるパワー管理と比較すると、各実施形態は、以下の利点を有する：
１）各実施形態による原理は、ＯＮＵスリープおよび目覚め（ａｗａｋｅ）周期の正確なスケジューリングおよび制御を可能にし、これは、複数のＯＮＵ１００がスリープモードをアクティブ化できる場合に特に有利である。各実施形態による原理は、ＯＬＴ２００とＯＮＵ１００の間で（スリープおよび目覚め期間に関して）適切なタイミング調整を確実にするのも助ける。
２）各実施形態による原理は、フルパワー状態Ｓ１から低パワー状態Ｓ２、Ｓ３、Ｓ５、Ｓ６への素早い遷移を可能にし、中間ステップをなくし、したがってより良いパワー節約をもたらす。
３）各実施形態による原理は、低パワーモードＳ２、Ｓ３；Ｓ５、Ｓ６の間の素早い遷移を可能にし、これによってトラフィック変化に素早く反応するのを助け、したがってサービスの品質（ＱｏＳ）を改善する。
４）各実施形態による原理は、ＯＮＵ状態マシンにおけるより少ない状態、およびＯＬＴとＯＮＵの間のより少ないメッセージ交換を要求するので、複雑さが少なくなる。
【０１０８】
本明細書および図面は、本発明の原理を示すものに過ぎない。したがって、明示的に説明されていないまたは本明細書中に示されていないが、本発明の原理を具体化し、本発明の精神および範囲内に含まれる様々な構成を当業者は工夫することができることを理解されよう。さらに、本明細書中に挙げられた全ての例は、当技術分野を進歩させることに対して発明者が寄せた原理および概念を読者が理解するのを助ける教示目的のために過ぎず、そのように具体的に記載した例および条件に対する限定ではないものとして解釈されるべきであることが主として明確に意図される。さらに、本発明の原理、態様、および実施形態、ならびにその特定の例を記載する本明細書の全ての陳述は、その均等物を包含するものとする。
【０１０９】
本明細書中の任意のブロック図は、本発明の原理を具体化する例示的回路の概念的な図を表すことを当業者により理解されたい。同様に、任意のフローチャート、流れ図、状態遷移図、疑似コードなどは、コンピュータ可読媒体に実質的に表され、コンピュータまたはプロセッサが明示的に示されていようとなかろうと、そのようなコンピュータまたはプロセッサによってそのように実行される様々なプロセスを表すことが理解されよう。
【図１】
2017507561.tif 000009
【図２】
2017507561.tif 000010
【図３】
2017507561.tif 000011
【図４ａ】
2017507561.tif 000012
【図４ｂ】
2017507561.tif 000013
【図４ｃ】
2017507561.tif 000014
【図４ｄ】
2017507561.tif 000015
【図４ｅ】
2017507561.tif 000016
【図４ｆ】
2017507561.tif 000017
【図５ａ】
2017507561.tif 000018
【図５ｂ】
2017507561.tif 000019
【図５ｃ】
2017507561.tif 000020
【図５ｄ】
2017507561.tif 000021
【図５ｅ】
2017507561.tif 000022
【図６ａ】
2017507561.tif 000023
【図６ｂ】
2017507561.tif 000024
【図６ｃ】
2017507561.tif 000025
【図６ｄ】
2017507561.tif 000026
【図６ｅ】
2017507561.tif 000027
【図６ｆ】
2017507561.tif 000028
【図７ａ】
2017507561.tif 000029
【図７ｂ】
2017507561.tif 000030
【図７ｃ】
2017507561.tif 000031
【図７ｄ】
2017507561.tif 000032
【図７ｅ】
2017507561.tif 000033
【国際調査報告】
2017507561.tif 000034
2017507561.tif 000035
2017507561.tif 000036